【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
デバイス間直接通信を行うシステムで、複数の区間を有するフレーム構造を用いてデータをブロードキャストするためのデバイスの方法であって、
ブロードキャストを行うデータが存在するか否かを決定する段階と、
第１区間を介して少なくとも一つの隣接デバイスに第１ブロードキャスト情報を送信する段階と、前記第１ブロードキャスト情報は、前記デバイスが第２区間を介してデータをブロードキャストするか否かを示し、
前記第１区間を介して前記少なくとも一つの隣接デバイスから第２ブロードキャスト情報を受信する段階と、前記第２ブロードキャスト情報は、前記第１ブロードキャスト情報を受信した前記少なくとも一つの隣接デバイスが前記第２区間を介してデータをブロードキャストするか否かを示し、
前記第２ブロードキャスト情報に基づいて前記第２区間を介してブロードキャストデータを受信する段階と、を含むことを特徴とする方法。
【請求項２】
前記第２区間は、ブロードキャスト区間とユニキャスト区間とに区分され、
前記ブロードキャスト区間は、前記第２区間の開始部分に位置することを特徴とする請求項１に記載の方法。
【請求項３】
前記ブロードキャストを行うデータが存在する場合、データのブロードキャストに必要なリソースサイズと前記ブロードキャスト区間のリソースサイズとを比較する段階と、
前記データブロードキャストに必要なリソースサイズが前記ブロードキャスト区間のリソースサイズより大きい場合、リソースを拡張して使用することを決定する段階と、
前記第２区間のブロードキャスト区間を介してリソース拡張情報をブロードキャストする段階と、
前記ブロードキャスト区間を介して前記拡張されたリソースを利用して前記データをブロードキャストする段階と、をさらに含むことを特徴とする請求項２に記載の方法。
【請求項４】
前記リソース拡張情報は、前記ブロードキャスト区間の開始部分を介して送信することを特徴とする請求項３に記載の方法。
【請求項５】
前記ブロードキャスト区間の開始部分を介して隣接デバイスがリソースを拡張して使用するか否かを示すリソース拡張情報を受信する段階と、
前記デバイス及び前記隣接デバイスのリソース拡張情報に応じて前記第２区間でユニキャスト区間の開始位置を決定する段階と、をさらに含むことを特徴とする請求項３に記載の方法。
【請求項６】
前記ブロードキャストを行うデータが存在する場合、前記デバイスが前記少なくとも一つのデバイスの第２ブロードキャスト情報に基づいて前記ブロードキャスト区間でブロードキャストリソースを決定する段階をさらに含むことを特徴とする請求項３に記載の方法。
【請求項７】
前記ブロードキャストリソースを決定する段階は、
前記第２ブロードキャスト情報に基づいてブロードキャストを行う隣接デバイスを決定する段階と、
ブロードキャストを行う隣接デバイス及び前記デバイスの優先順位に基づいて前記ブロードキャスト区間内で前記ブロードキャストを行う隣接デバイス及び前記デバイスそれぞれに対するリソースを順に決定する段階と、を含むことを特徴とする請求項６に記載の方法。
【請求項８】
前記ブロードキャストを行う周辺デバイス及び前記デバイスの優先順位は、前記第１ブロードキャスト情報と前記第２ブロードキャスト情報が送信されたリソースのインデックスによって決定されることを特徴とする請求項７に記載の方法。
【請求項９】
前記ブロードキャストリソースを決定する段階は、
前記第２ブロードキャスト情報に基づいてブロードキャストを行う少なくとも一つの隣接デバイスを決定する段階と、
ブロードキャストを行う複数のデバイスが前記ブロードキャスト区間内で同じリソースを利用することを決定する段階と、を含むことを特徴とする請求項６に記載の方法。
【請求項１０】
前記複数のデバイスが前記ブロードキャスト区間内で同じリソースを利用する場合、前記第１区間で前記少なくとも一つのデバイスに前記第１ブロードキャスト情報の送信の際に使用されたＩＤを用いてデータをスクランブル処理する段階をさらに含み、
前記ＩＤは、ＭＡＣアドレス（ＭＡＣ  ａｄｄｒｅｓｓ）、デバイスＩＤ、デバイスで動作中のアプリケーションＩＤのうちいずれか１つであることを特徴とする請求項９に記載の方法。
【請求項１１】
デバイス間直接通信を行うシステムで、複数の区間を有するフレーム構造を用いてデータをブロードキャストのためのデバイスの装置であって、
少なくとも１つの周辺デバイスに信号を送信し、少なくとも１つのデバイスから信号を受信することのうち少なくとも１つを行う送受信部と、
ブロードキャストを行うデータが存在するか否かを決定し、第１区間を介して少なくとも一つの隣接デバイスに第１ブロードキャスト情報を送信し、前記第１ブロードキャスト情報は、前記デバイスが第２区間を介してデータをブロードキャストするか否かを示し、前記第１区間を介して前記少なくとも一つの隣接デバイスから第２ブロードキャスト情報を受信し、前記第２ブロードキャスト情報は、前記第１ブロードキャスト情報を受信した前記少なくとも一つの隣接デバイスが前記第２区間を介してデータをブロードキャストするか否かを示し、前記第２ブロードキャスト情報に基づいて前記第２区間を介してブロードキャストデータを受信するための機能を制御する制御部と、を含むことを特徴とする装置。
【請求項１２】
前記制御部は、前記第２区間はブロードキャスト区間とユニキャスト区間とに区分され、
前記ブロードキャスト区間は前記第２区間の開始部分に位置することを特徴とする請求項１１に記載の装置。
【請求項１３】
前記制御部は、
前記ブロードキャストを行うデータが存在する場合、データのブロードキャストに必要なリソースサイズと前記ブロードキャスト区間のリソースサイズとを比較し、前記データブロードキャストに必要なリソースサイズが前記ブロードキャスト区間のリソースサイズより大きい場合、リソースを拡張して使用することを決定し、前記第２区間のブロードキャスト区間を介してリソース拡張情報をブロードキャストし、前記ブロードキャスト区間を介して前記拡張されたリソースを利用して前記データをブロードキャストするための機能を制御することを特徴とする請求項１２に記載の装置。
【請求項１４】
前記制御部は、
前記ブロードキャスト区間の開始部分を介して前記リソース拡張情報を送信するための機能を制御することを特徴とする請求項１３に記載の装置。
【請求項１５】
前記制御部は、前記ブロードキャスト区間の開始部分を介して隣接デバイスがリソースを拡張して使用するか否かを示すリソース拡張情報を受信し、前記デバイスと前記隣接デバイスのリソース拡張情報に基づいて前記第２区間でユニキャスト区間の開始位置を決定することを特徴とする請求項１３に記載の装置。
【請求項１６】
前記制御部は、前記ブロードキャストするデータが存在する場合、前記デバイスが前記少なくとも１つのデバイスの第２ブロードキャスト情報に基づいて前記ブロードキャスト区間でブロードキャストリソースを決定することを特徴とする請求項１３に記載の装置。
【請求項１７】
前記制御部は、前記第２ブロードキャスト情報に基づいてブロードキャストを行う隣接デバイスを決定し、ブロードキャストを行う隣接デバイスと前記デバイスの優先順位に基づいて前記ブロードキャスト区間内で前記ブロードキャストを行う隣接デバイスと、前記デバイスのそれぞれのリソースを順に決定することを特徴とする請求項１６に記載の装置。
【請求項１８】
前記ブロードキャストを行う周辺デバイスと前記デバイスの優先順位は、前記第１ブロードキャスト情報と前記第２ブロードキャスト情報が送信されたリソースのインデックスに基づいて決定されることを特徴とする請求項１７に記載の装置。
【請求項１９】
前記制御部は、前記第２ブロードキャスト情報に基づいてブロードキャストを行う少なくとも一つの隣接デバイスを決定し、ブロードキャストを行う複数のデバイスが、前記ブロードキャスト区間内で同じリソースを利用することを決定することを特徴とする請求項１６に記載の装置。
【請求項２０】
前記制御部は、前記複数のデバイスが、前記ブロードキャスト区間内で同じリソースを利用する場合、前記第１区間で前記少なくとも１つのデバイスに前記第１ブロードキャスト情報の送信時に使用されたＩＤを用いてデータをスクランブル処理し、
前記ＩＤは、ＭＡＣアドレス（ＭＡＣ ａｄｄｒｅｓｓ）、デバイスＩＤ、デバイスで動作中のアプリケーションＩＤのうちいずれか１つであることを特徴とする請求項１９に記載の装置。